(57)【要約】【課題】取り外した表示部をＰＯＳ機能だけでなくそれ以外の機能を持った端末としても動作させことができるディスプレイ・本体分離型ＰＯＳ端末システムを提供する。【解決手段】情報を表示する情報表示手段、情報を入力する情報入力手段、情報表示手段と情報入力手段を接続するデバイス接続手段、情報表示手段とデバイス接続手段が着脱されたことを検知する着脱検知手段、情報表示手段の機能を切り換える機能切換手段、情報表示手段のある場所や場所の移動を検知する位置検知手段を具備するＰＯＳ端末システムとした。【選択図】    図１
2004310246.tif 000002
【特許請求の範囲】
【請求項１】
情報を表示する情報表示手段、情報を入力する情報入力手段、情報表示手段と情報入力手段を接続するデバイス接続手段、情報表示手段とデバイス接続手段が着脱されたことを検知する着脱検知手段、情報表示手段の機能を切り換える機能切換手段、情報表示手段のある場所や場所の移動を検知する位置検知手段を具備するＰＯＳ端末システムにおいて、
前記デバイス接続手段と前記情報表示手段が着脱可能であり、しかも前記情報表示手段がデバイス接続手段から取り外された状態でも使用可能に形成されていることを特徴とするＰＯＳ端末システム。
【請求項２】
前記着脱検知手段によって情報表示手段がデバイス接続手段から取り外された、あるいは接続されたことを検知することが可能に形成されていることを特徴とする請求項１に記載のＰＯＳ端末システム。
【請求項３】
前記着脱検知手段が情報表示手段とデバイス接続手段の着脱を検知したときに機能切換手段によって情報表示手段の機能を自動的に切り換えることが可能に形成されていることを特徴とする請求項１または２に記載のＰＯＳ端末システム。
【請求項４】
前記位置検知手段により情報表示手段のある場所や場所の移動を検知することが可能に形成されていることを特徴とする請求項１、２または３に記載のＰＯＳ端末システム。
【請求項５】
前記位置検知手段が情報表示手段のある場所の移動を検知したときに情報表示手段のある場所に応じ前記機能切換手段によって情報表示手段の機能を自動的に切り換えることが可能に形成されていることを特徴とする請求項１、２または３に記載のＰＯＳ端末システム。
【請求項６】
前記情報表示手段のある場所に応じ機能切換手段によって情報表示手段の機能を自動的に切り換えるときに、場所に応じ機能切換手段によって切り換えられる機能を自由に設定することが可能に形成されていることを特徴とする請求項１から５のいずれかに記載のＰＯＳ端末システム。
【発明の詳細な説明】
【０００１】
【発明の属する技術分野】
本発明は、レストラン、居酒屋、ホテル等、あるいは百貨店、スーパーマーケット、専門店、コンビニエンスストア等の一般小売店で使用するＰＯＳ（Ｐｏｉｎｔ  Ｏｆ  Ｓａｌｅ：販売時点情報管理）システムの端末装置であるＰＯＳ端末システムに関する。
【０００２】
【従来の技術】
従来からレストラン、居酒屋、ホテル等、あるいは百貨店、スーパーマーケット、専門店、コンビニエンスストア等の一般小売店では会計処理を円滑に行うための手段としてＰＯＳ（Ｐｏｉｎｔ  Ｏｆ  Ｓａｌｅ：販売時点情報管理）システムが導入されており、このＰＯＳシステムの端末装置として、情報を表示する情報表示手段、情報を入力する情報入力手段、伝票に付けられたバーコードなどにより伝票が処理された時点で商品コードなどのデータを本部コンピュータに通知する処理や会計処理などのＰＯＳ処理を制御するＰＯＳ処理手段を具備するＰＯＳ端末システムが知られている。
【０００３】
このようなＰＯＳ端末システムでは、前記ＰＯＳ処理を制御するＰＯＳ処理手段と情報を入力する情報入力手段と情報を表示する情報表示手段を用いて、前記ＰＯＳ処理だけを行うことができる。また、前記ＰＯＳ処理はＰＯＳ端末システムが置かれた場所でのみ行うことができる（例えば、特許文献１参照）。
【０００４】
【特許文献１】
特開平６−３０１８６０号公報
【０００５】
【発明が解決しようとする課題】
ところで、従来、ＰＯＳ端末システムでは、伝票に付けられたバーコードなどにより伝票が処理された時点で商品コードなどのデータを本部コンピュータに通知する処理や会計処理などのＰＯＳ処理を制御するＰＯＳ処理手段と情報を表示する情報表示手段を取り外すことは物理的かつ機能的に不可能であった。
また、従来、ＰＯＳ端末システムでは、ＰＯＳ端末システムのＰＯＳ処理を制御するＰＯＳ処理手段から情報を表示する情報表示手段を取り外した状態で使用することもできない。
【０００６】
したがって、ＰＯＳ端末システムが置かれた場所でのみＰＯＳ処理を行うことが可能であり、ＰＯＳ端末システムが設置された場所から離れた場所では直接ＰＯＳ処理を行うことは不可能であった。
【０００７】
また、従来、ＰＯＳ端末システムでは、ＰＯＳ処理のみを行うことができるだけで、たとえばレストランにおいては注文入力や空席管理、料理の提供状況管理などのようなＰＯＳ処理以外の処理を行うことは不可能であった。
【０００８】
本発明は、このような事情に鑑み、ＰＯＳ端末システムから表示部を取り外し、その表示部を取り外した状態で使用することができる、また、ＰＯＳ端末システムから取り外した表示部をＰＯＳ機能だけでなくそれ以外の機能を持った端末として動作させことができる、また、取り外された表示部の場所や場所の移動を検知できる、また、表示部の場所の移動が検知された場合、表示部のある場所によって表示部の機能を自動的に切り換えることのできる、また、表示部のある場所によって自動的に切り換えられる機能を自由に設定することができるといったＰＯＳ端末システムを提供することを課題とする。
【０００９】
【課題を解決するための手段】
上記課題を解決する本発明の第１の態様は、情報を表示する情報表示手段、情報を入力する情報入力手段、情報表示手段と情報入力手段を接続するデバイス接続手段、情報表示手段とデバイス接続手段が着脱されたことを検知する着脱検知手段、情報表示手段の機能を切り換える機能切換手段、情報表示手段のある場所や場所の移動を検知する位置検知手段を具備するＰＯＳ端末システムにおいて、デバイス接続手段と情報表示手段が着脱可能であり、情報表示手段がデバイス接続手段から取り外された状態で使用可能に形成されていることを特徴とするＰＯＳ端末システムにある。
【００１０】
かかる発明では、デバイス接続手段と情報表示手段が着脱可能であり、情報表示手段がデバイス接続手段から取り外された状態で独立して動作させることができる。
【００１１】
本発明の第２の態様は、着脱検知手段によって情報表示手段がデバイス接続手段から取り外された、あるいは接続されたことを検知することが可能に形成されていることを特徴とするＰＯＳ端末システムにある。
【００１２】
かかる発明では、情報表示手段がデバイス接続手段から取り外された、あるいは接続された場合、その着脱の情報を着脱検知手段が検知することができる。
本発明の第３の態様は、着脱検知手段が情報表示手段とデバイス接続手段の着脱を検知したときに機能切換手段によって情報表示手段の機能を自動的に切り換えることが可能に形成されていることを特徴とするＰＯＳ端末システムにある。
かかる発明では、情報表示手段とデバイス接続手段が着脱された場合には、その着脱の情報を着脱検知手段が検知する。
【００１３】
したがって、情報表示手段とデバイス接続手段の着脱が検知されることによって、機能切換手段によって情報表示手段の機能を自動的に切り換えることができる。
【００１４】
本発明の第４の態様は、位置検知手段により情報表示手段のある場所や場所の移動を検知することが可能に形成されていることを特徴とするＰＯＳ端末システムにある。
【００１５】
かかる発明では、位置検知手段により情報表示手段のある場所や場所の移動を検知することができる。
【００１６】
本発明の第５の態様は、位置検知手段が情報表示手段のある場所の移動を検知したときに情報表示手段のある場所に応じ前記機能切換手段によって情報表示手段の機能を自動的に切り換えることが可能に形成されていることを特徴とするＰＯＳ端末システムにある。
かかる発明では、位置検知手段により情報表示手段の場所の移動が検知されると、情報表示手段のある場所に応じ機能切換手段によって情報表示手段の機能を自動的に切り換えることができる。
【００１７】
本発明の第６の態様は、情報表示手段のある場所に応じ機能切換手段によって情報表示手段の機能を自動的に切り換えるときに情報表示手段のある場所に応じ機能切換手段によって切り換えられる機能を自由に設定することが可能に形成されていることを特徴とするＰＯＳ端末システムにある。
かかる発明では、情報表示手段のある場所に応じ情報表示手段で動作する機能を自由に設定することができる。
【００１８】
【発明の実施の形態】
以下、本発明の実施形態について図面を参照して説明する。
【００１９】
図１は、本発明に係るＰＯＳ端末システムの機能ブロックを示すブロック構成図である。本発明のＰＯＳ端末システムは、情報表示手段１０１（ディスプレイ）と、情報表示手段１０１を除く本体部とが分離可能なディスプレイ・本体分離型となっている。このディスプレイ・本体分離型ＰＯＳ端末システムは、図１に示す如く、情報表示手段１０１と、情報入力手段１０２と、デバイス接続手段１０３と、着脱検知手段１０４と、機能切換手段１０５と、位置検知手段１０６とを含み、着脱検知手段１０４で検知された着脱情報と、位置検知手段１０６で検知された位置情報について処理することができる。
【００２０】
図２は、本発明に係るＰＯＳ端末システムの情報表示手段について、その細部機能ブロックを示す詳細ブロック構成図である。
情報表示手段１０１は、図２に示す如く、中央処理装置（ＣＰＵ）２０１と、表示装置（ＤＩＳＰ）２０２と、情報保存領域（ＲＯＭ）２０３と、情報一時保存領域（ＲＡＭ）２０６と、通信装置（ＣＯＭ１）２１０と、着脱検知手段１０４と、位置検知手段１０６と、機能切換手段１０５を含み、ＰＯＳ端末システム１００が持つ様々な情報を表示し、かつ後述する様々な機能を動作させる機能を有する。
【００２１】
表示装置（ＤＩＳＰ）２０２の種類は、ＣＲＴやＬＣＤなどの方式を問わず何でもよい。また、通信装置（ＣＯＭ１）２１０の種類は、有線や無線などの方式を問わず何でもよい。
【００２２】
情報保存領域（ＲＯＭ）２０３内には、機能格納領域（ＦＵＮＣ）２０４と場所対機能対応テーブル（ＴＡＢＬＥ）２０５が設けられている。機能格納領域（ＦＵＮＣ）２０４には、情報表示手段１０１で動作する様々な機能が格納されている。機能格納領域（ＦＵＮＣ）２０４に格納され情報表示手段１０１で動作する様々な機能は、ＰＯＳ処理機能だけでなく、たとえばレストランにおいては注文入力機能や空席管理機能、料理の提供状況管理機能など何でもよい。
【００２３】
場所対機能対応テーブル（ＴＡＢＬＥ）２０５には、情報表示手段１０１のある場所と情報表示手段１０１で動作する機能を関連づける場所対機能情報が複数格納されている。情報一時保存領域（ＲＡＭ）２０６内には、機能実行領域（ＥＸＥ）２０７と状態情報一時保存領域（ＴＥＭＰ）２０８と場所対機能対応一時保存テーブル（ＴＥＭＰＴＡＢＬＥ）２０９が設けられている。着脱検知手段１０４は、情報表示手段とデバイス接続手段が着脱されたことを検知する機能を有する。
【００２４】
位置検知手段１０６は、情報表示手段のある場所や場所の移動を検知する機能を有する。機能切換手段１０５は、情報表示手段の機能を切り換える機能を有する。情報入力手段１０２は、図２に示す如く、情報入力装置（ＩＮＰＵＴ）２１２を含み、ＰＯＳ端末システム１００に様々な情報を入力する機能を有する。
情報入力装置（ＩＮＰＵＴ）２１２の種類は、キーボードやバーコードリーダーなどの方式を問わず何でもよい。
【００２５】
また、情報入力手段１０２に複数の情報入力装置（ＩＮＰＵＴ）２１２が含まれ、それらが同時に使用される場合もある。また、表示装置（ＤＩＳＰ）２０２上に表示された仮想的なキーなどにより情報表示手段１０１が情報入力手段１０２を有する場合もある。デバイス接続手段１０３は、情報表示手段１０１と情報入力手段１０２を接続する機能を有する。
【００２６】
デバイス接続手段１０３は、図２に示す如く、情報表示手段１０１と情報のやりとりを行うための通信装置（ＣＯＭ２）２１１を有する場合もある。通信装置（ＣＯＭ２）２１１の種類は、有線や無線などの方式を問わず何でもよい。
ここにおいて、情報表示手段１０１がデバイス接続手段１０３から取り外されると、その情報を着脱検知手段１０４が検知する。続けて、着脱検知手段１０４は中央処理装置（ＣＰＵ）２０１に対して、情報表示手段１０１がデバイス接続手段１０３から取り外されたことを通知する。
【００２７】
中央処理装置（ＣＰＵ）２０１は、情報一時保存領域（ＲＡＭ）２０６の状態情報一時保存領域（ＴＥＭＰ）２０８に情報表示手段１０１がデバイス接続手段１０３から取り外された状態であるという情報を一時的に記録する。以降この状態情報一時保存領域（ＴＥＭＰ）２０８の状態情報をもとに、中央処理装置（ＣＰＵ）２０１は情報表示手段１０１がデバイス接続手段１０３から取り外されたものと認識し、情報表示手段１０１を制御する。かくして、情報表示手段１０１は、デバイス接続手段１０３から取り外された状態のまま独立して動作することができる。
【００２８】
また、情報表示手段１０１がデバイス接続手段１０３から取り外されると、着脱検知手段１０４は中央処理装置（ＣＰＵ）２０１に対して機能切換要求を出す。
【００２９】
中央処理装置（ＣＰＵ）２０１は、情報一時保存領域（ＲＡＭ）２０６の機能実行領域（ＥＸＥ）２０７で動作中の機能を停止させる。続けて、中央処理装置（ＣＰＵ）２０１は情報保存領域（ＲＯＭ）２０３から情報一時保存領域（ＲＡＭ）２０６の機能実行領域（ＥＸＥ）２０７へ別の機能を転送し、それを動作させる。
【００３０】
かくして、情報表示手段１０１がデバイス接続手段１０３から取り外されたときに、情報表示手段１０１の機能を切り換えることができる。ここにおいて、情報表示手段１０１がデバイス接続手段１０３に接続されると、その情報を着脱検知手段１０４が検知する。
【００３１】
続けて、着脱検知手段１０４は中央処理装置（ＣＰＵ）２０１に対して、情報表示手段１０１がデバイス接続手段１０３に接続されたことを通知する。
中央処理装置（ＣＰＵ）２０１は、情報一時保存領域（ＲＡＭ）２０６の状態情報一時保存領域（ＴＥＭＰ）２０８に情報表示手段１０１がデバイス接続手段１０３に接続された状態であるという情報を一時的に記録する。
【００３２】
以降この状態情報一時保存領域（ＴＥＭＰ）２０８の状態情報をもとに、中央処理装置（ＣＰＵ）２０１は情報表示手段１０１がデバイス接続手段１０３に接続されたものと認識し、情報表示手段１０１を制御する。かくして、情報表示手段１０１は、デバイス接続手段１０３に接続された状態で動作することができる。
【００３３】
また、情報表示手段１０１がデバイス接続手段１０３に接続されると、着脱検知手段１０４は中央処理装置（ＣＰＵ）２０１に対して機能切換要求を出す。
中央処理装置（ＣＰＵ）２０１は、情報一時保存領域（ＲＡＭ）２０６の機能実行領域（ＥＸＥ）２０７で動作中の機能を停止させる。
【００３４】
続けて，中央処理装置（ＣＰＵ）に０１は情報保存領域（ＲＯＭ）２０３から情報一時保存領域（ＲＡＭ）２０６の機能実行領域（ＥＸＥ）２０７へ別の機能を転送し、それを動作させる。かくして、情報表示手段１０１がデバイス接続手段１０３へ接続されたときに、情報表示手段１０１の機能を切り換えることができる。
【００３５】
ここにおいて、情報表示手段１０１の場所が移動されると、情報表示手段１０１の移動と情報表示手段１０１のある場所を位置検知手段１０６が検知する。続けて、位置検知手段１０６は中央処理装置（ＣＰＵ）２０１に対して、情報表示手段１０１の移動と情報表示手段１０１のある場所を通知する。
【００３６】
ここで中央処理装置（ＣＰＵ）２０１は、情報保存領域（ＲＯＭ）２０３の場所対機能対応テーブル（ＴＡＢＬＥ）２０５が情報一時保存領域（ＲＡＭ）２０６の場所対機能対応一時保存テーブル（ＴＥＭＰＴＡＢＬＥ）２０９に転送されていない場合には情報保存領域（ＲＯＭ）２０３の場所対機能対応テーブル（ＴＡＢＬＥ）２０５を情報一時保存領域（ＲＡＭ）２０６の場所対機能対応一時保存テーブル（ＴＥＭＰＴＡＢＬＥ）２０９に転送する。
【００３７】
また中央処理装置（ＣＰＵ）２０１は、情報保存領域（ＲＯＭ）２０３の場所対機能対応テーブル（ＴＡＢＬＥ）２０５が情報一時保存領域（ＲＡＭ）２０６の場所対機能対応一時保存テーブル（ＴＥＭＰＴＡＢＬＥ）２０９に転送されている場合には情報保存領域（ＲＯＭ）２０３の場所対機能対応テーブル（ＴＡＢＬＥ）２０５を情報一時保存領域（ＲＡＭ）２０６の場所対機能対応一時保存テーブル（ＴＥＭＰＴＡＢＬＥ）２０９に転送しない。続けて、中央処理装置（ＣＰＵ）２０１は、情報一時保存領域（ＲＡＭ）２０６の場所対機能対応一時保存テーブル（ＴＥＭＰＴＡＢＬＥ）２０９を参照し情報表示手段１０１のある場所に応じた場所対機能情報を得る。
【００３８】
続けて、中央処理装置（ＣＰＵ）２０１は、情報一時保存領域（ＲＡＭ）２０６の機能実行領域（ＥＸＥ）２０７で動作中の機能を停止させる。さらに、中央処理装置（ＣＰＵ）２０１は情報保存領域（ＲＯＭ）２０３から情報一時保存領域（ＲＡＭ）２０６の機能実行領域（ＥＸＥ）２０７へ情報一時保存領域（ＲＡＭ）２０６の場所対機能対応一時保存テーブル（ＴＥＭＰＴＡＢＬＥ）２０９から得た場所対機能情報をもとに場所に応じた機能を転送し、それを動作させる。かくして、情報表示手段１０１のある場所の移動を検知したときに、情報表示手段１０１の機能を切り換えることができる。ここにおいて、表示装置（ＤＩＳＰ）２０２上に表示された仮想的なキーや情報入力手段１０２を通して場所対機能情報変更設定要求が要求されると、中央処理装置（ＣＰＵ）２０１はその要求を認識する。
【００３９】
ここで中央処理装置（ＣＰＵ）２０１は、情報一時保存領域（ＲＡＭ）２０６の場所対機能対応一時保存テーブル（ＴＥＭＰＴＡＢＬＥ）２０９の場所対機能情報を場所対機能情報変更設定要求にしたがって変更して設定する。かくして、情報表示手段１０１のある場所に応じ機能切換手段１０５によって情報表示手段１０１の機能を自動的に切り換えるときに場所に応じ機能切換手段１０５によって切り換えられる機能を自由に設定することができる。
【００４０】
【発明の効果】
以上、説明したように、本発明によれば、デバイス接続手段と情報表示手段が着脱可能であり、情報表示手段がデバイス接続手段から取り外された状態で使用可能に形成されているＰＯＳ端末システムであるから、ＰＯＳ端末システムのＰＯＳ処理を制御するＰＯＳ処理手段から情報を表示する情報表示手段を取り外した状態で使用することができる。したがって、ＰＯＳ端末システムの機動性を大幅に向上することができ、かつＰＯＳ端末システムから情報表示手段を取り外し、使用者にとってもっとも自由でかつ最適な場所や姿勢でＰＯＳ処理を行うことができる。
【００４１】
また、着脱検知手段によって情報表示手段がデバイス接続手段から取り外された、あるいは接続されたことを検知することが可能に形成されているＰＯＳ端末システムであるから、ＰＯＳ端末システムから取り外されたことを検知した情報表示手段は取り外されたことを前提に動作し、ＰＯＳ端末システムへ接続されたことを検知した情報表示手段は接続されたことを前提に動作することができる。したがって、たとえばＰＯＳ端末システムから情報表示手段が取り外されたときには表示画面のバックライトの輝度を低下させ情報表示手段が取り外された状態で動作可能な時間を延ばすなど、情報表示手段の接続状態に応じ、それぞれの状態において最適でかつ柔軟な動作をすることができる。
【００４２】
また、着脱検知手段が情報表示手段とデバイス接続手段の着脱を検知したときに機能切換手段によって情報表示手段の機能を自動的に切り換えることが可能に形成されているＰＯＳ端末システムであるから、情報表示手段をＰＯＳ端末システムから取り外した時に自動的に情報表示手段の機能を切り換えることができ、またその機能はＰＯＳ処理機能のみならずＰＯＳ処理以外の機能をも動作させることができる。したがって、ＰＯＳ端末システムから取り外された情報表示手段は使用形態に応じて柔軟な機能を有した端末として動作することができる。
【００４３】
また、位置検知手段により情報表示手段のある場所や場所の移動を検知することが可能に形成されているＰＯＳ端末システムであるから、情報表示手段は情報表示手段のある場所に応じた動作をすることができる。したがって、たとえば音声を出力するべきではない場所などでは情報表示手段は音声出力を禁止するなど、情報表示手段のある様々な場所に応じて最適でかつ柔軟な動作をすることができる。
【００４４】
また、位置検知手段が情報表示手段のある場所の移動を検知したときに情報表示手段のある場所に応じ機能切換手段によって情報表示手段の機能を自動的に切り換えることが可能に形成されているＰＯＳ端末システムであるから、情報表示手段のある場所の移動に伴い自動的かつ柔軟に情報表示手段の機能を切り換えながら動作させることができる。したがって、情報表示手段の使用者は場所の移動を意識することなく情報表示手段を使用する場所に応じた最適な機能を利用することができる。
【００４５】
また、情報表示手段のある場所に応じ機能切換手段によって情報表示手段の機能を自動的に切り換えるときに場所に応じ機能切換手段によって切り換えられる機能を自由に設定することが可能に形成されているＰＯＳ端末システムであるから、情報表示手段のある場所に応じ機能切換手段によって切り換えられる機能を限定あるいは固定することなく必要性や使用状況によって自由かつ柔軟に設定することができ、情報表示手段で動作する機能の種類を大幅に増やすことができる。
【図面の簡単な説明】
【図１】本発明に係るＰＯＳ端末システムの機能ブロックを示すブロック構成図である。
【図２】本発明に係るＰＯＳ端末システムの情報表示手段の細部機能ブロックを示す詳細ブロック構成図である。
【符号の説明】
１００  ＰＯＳ端末システム
１０１  情報表示手段
１０２  情報入力手段
１０３  デバイス接続手段
１０４  着脱検知手段
１０５  機能切換手段
１０６  位置検知手段
２０１  中央処理装置（ＣＰＵ）
２０２  表示装置（ＤＩＳＰ）
２０３  情報保存領域（ＲＯＭ）
２０４  機能格納領域（ＦＵＮＣ）
２０５  場所対機能対応テーブル（ＴＡＢＬＥ）
２０６  情報一時保存領域（ＲＡＭ）
２０７  機能実行領域（ＥＸＥ）
２０８  状態情報一時保存領域（ＴＥＭＰ）
２０９  場所対機能対応一時保存テーブル（ＴＥＭＰＴＡＢＬＥ）
２１０  通信装置（ＣＯＭ１）
２１１  通信装置（ＣＯＭ２）
２１２  情報入力装置（ＩＮＰＵＴ）
【図１】
2004310246.tif 000003
【図２】
2004310246.tif 000004